(57)【要約】【課題】車両の後方を撮影した撮影映像上に設定される表示領域の変更を、ユーザーが直感的に把握しながら行えるようにする。【解決手段】  ルームミラー２に画面表示部４を設ける。画像処理部１０は、車両１００の後方視野２００を撮影する広角撮影部４０の撮影映像９０Ａ上に表示領域９０Ｂを設定し、設定された表示領域９０Ｂ内の映像９０Ｃを画面表示部４に表示する。一方、画像処理部１０は、画面表示部４をその表示面４ａの側から押し込んで画面表示部４全体を傾斜させるユーザー操作によって入力部８が入力を受け付けると、画面表示部４の表示映像９０Ｃが当該ユーザー操作によって押し込まれた側へと移動するように、表示領域の位置を変更する。【選択図】図６
2018207274.tif 000002
【特許請求の範囲】
【請求項１】
運転者に視認可能となるよう車両のルームミラーの位置に配置される画面表示部と、
前記車両の後方視野を広角撮影する広角撮影部と、
前記広角撮影部による撮影映像上に表示領域を設定する領域設定手段と、
設定された前記表示領域内の映像を前記画面表示部に表示する表示手段と、
前記画面表示部をその表示面の側から押し込み、その外周側が沈む形で当該画面表示部全体を傾斜させるユーザー操作によって入力を受け付ける入力部と、
前記ユーザー操作によって前記入力部が入力を受け付けた場合に、前記画面表示部に表示される表示映像の表示範囲が、当該ユーザー操作によって押し込まれた側へと移動するように、前記撮影映像上に設定される前記表示領域の位置を変更する領域変更手段と、
を備えることを特徴とする車両用表示装置。
【請求項２】
前記入力部は、前記画面表示部に前記表示映像を表示した表示状態において前記ユーザー操作による入力を受け付け、
前記領域変更手段は、前記表示状態において前記撮影映像上に設定される前記表示領域の位置の変更を可能とする請求項１に記載の車両用表示装置。
【請求項３】
前記入力部は、前記画面表示部の表示面に対しその裏面側の上下左右にそれぞれ設けられ、前記ユーザー操作によって前記表示面が押された際に押された側に位置するものが入力を受け付け、
前記領域変更手段は、前記撮影映像上に設定される前記表示領域を、入力を受け付けた前記入力部に対応する側へと移動させる請求項１又は請求項２に記載の車両用表示装置。
【請求項４】
前記画面表示部を裏面側から被うハウジングケースと、前記ユーザー操作による前記画面表示部の傾斜が許容されるよう前記画面表示部に対し前記ハウジングケースを組み付ける傾倒支持手段と、を備える請求項１ないし請求項３のいずれか１項に記載の車両用表示装置。
【請求項５】
前記傾倒支持手段は、前記ハウジングケース及び前記画面表示部のいずれか一方に設けられ、前記画面表示部の表示面の中心部の裏側と前記ハウジングケース側との間を延びる支柱部と、他方に設けられ、前記支柱部がその外周側へと傾倒可能となるよう支持する形で当該支柱部に組み付けられる支柱支持部と、を有する請求項４に記載の車両用表示装置。
【請求項６】
前記支柱部は、前記支柱支持部によって支持される側の端部に球状先端部を有し、前記支柱支持部は、前記球状先端部の抜けを阻止しつつその球状先端部を摺動回転可能となるようその外側を被う形で保持する摺動保持部を有する請求項５に記載の車両用表示装置。
【請求項７】
前記ユーザー操作によって傾斜する前記画面表示部全体を元の非傾斜状態に復帰させる復帰手段を備える請求項１ないし請求項６のいずれか１項に記載の車両用表示装置。
【請求項８】
前記ユーザー操作によって傾斜する前記画面表示部全体を元の非傾斜状態に復帰させる復帰手段を備え、
前記復帰手段は、前記画面表示部の裏側と前記ハウジングケースとの間に配置され、前記支柱部の外周を取り囲み、前記画面表示部をその表示面の側に付勢するばね部材である請求項６に記載の車両用表示装置。
【請求項９】
前記ユーザー操作によって傾斜する前記画面表示部全体を元の非傾斜状態に復帰させる復帰手段を備え、
前記入力部は、前記画面表示部の表示面の裏側に配置された押込み型入力部であり、
前記ハウジングケースは、前記画面表示部に対し前記表示面の裏側で対向するよう配置され、前記ユーザー操作によって前記画面表示部全体が傾斜した際、当該画面表示部の沈む側に位置する前記押込み型入力部の操作ノブを押し込む裏側対向部を有し、
前記復帰手段は、前記画面表示部の裏側と前記裏側対向部との間に配置されたばね部材である請求項５に記載の車両用表示装置。
【請求項１０】
前記ユーザー操作によって傾斜する前記画面表示部全体を元の非傾斜状態に復帰させる復帰手段を備え、
前記復帰手段は、前記画面表示部の裏側と前記ハウジングケースとの間に配置される弾性部材である請求項６に記載の車両用表示装置。
【発明の詳細な説明】
【技術分野】
【０００１】
本発明は、車両の後方を運転者に視認させる車両用表示装置に関する。
【背景技術】
【０００２】
車両の後方視野を表示する車両装備として、車室内のフロントガラスの中央上側に設けられるルームミラー（バックミラー）がある。近年では、車両後方視野を広角カメラで撮影してその撮影映像上の所定領域を切り出し、切り出した表示映像を、ルームミラーとして設けられた横長形状のディスプレイに表示するものもある（特許文献１参照）。
【０００３】
この場合、横長形状のディスプレイに表示される車両後方視野の表示範囲は、運転者の好みに応じて変更できることが望ましい。具体的にいえば、広角カメラで撮影した撮影映像上に設定される上記の所定領域を別位置に移動して設定することで、ディスプレイに表示される車両後方視野の表示範囲を移動できるようにすることが望ましい。従来は、撮影映像上に設定される上記の所定領域の変更を、ルームミラーとは異なる別画面（例えばナビ画面等）上でのタッチ操作によって行う、あるいはルームミラーに直接設けられた操作スイッチを操作して行うようになっている。
【０００４】
しかしながら、こうした操作では、操作と変更内容との関係性が薄く、撮影映像上で上記の領域がどの程度変更したかを直感的に把握しづらい。
【先行技術文献】
【特許文献】
【０００５】
【特許文献１】特開２０１０−２６３４１２号公報
【発明の概要】
【発明が解決しようとする課題】
【０００６】
本発明の課題は、車両の後方を撮影した撮影映像上に設定される表示領域の変更を、ユーザーが直感的に把握しながら行えるようにすることにある。
【課題を解決するための手段及び発明の効果】
【０００７】
上記課題を解決するために、本発明の車両用表示装置は、
運転者に視認可能となるよう車両のルームミラーの位置に配置される画面表示部と、
前記車両の後方視野を広角撮影する広角撮影部と、
前記広角撮影部による撮影映像上に表示領域を設定する領域設定手段と、
設定された前記表示領域内の映像を前記画面表示部に表示する表示手段と、
前記画面表示部をその表示面の側から押し込み、その外周側が沈む形で当該画面表示部全体を傾斜させるユーザー操作によって入力を受け付ける入力部と、
前記ユーザー操作によって前記入力部が入力を受け付けた場合に、前記画面表示部に表示される表示映像が、当該ユーザー操作によって押し込まれた側へと移動するように、前記後方映像上に設定される前記表示領域の位置を変更する領域変更手段と、
を備えることを特徴とする。
【０００８】
上記本発明によれば、ルームミラーに相当する画面表示部に対し、その外周側を押し込んで画面表示部全体を傾斜させるユーザー操作をすることによって、画面表示部に映し出される映像（即ち、後方映像上に設定される表示領域）を、ユーザー操作がされた側へと移動させることができる。例えば、映し出された映像をより右側に移動させたい場合には、画面表示部の右側を押し込むユーザー操作をすることで、映し出される映像を所定量だけ右に移動でき、逆に、左側に移動させたい場合は、画面表示部の左側を押し込むユーザー操作をすることで、映し出される映像を所定量だけ左に移動できる。このように、ユーザーは、映像上に設定される所定領域（表示領域）を、映像の表示面を押すというユーザー操作によって、押し込んだ側へと移動させることができるから、操作と映像の変更内容との関係を直感的に把握しながら行うことができ、従来よりも操作性に優れたものとなる。
【図面の簡単な説明】
【０００９】
【図１】本発明の一実施例である車両用表示装置の電気的構成と、カメラが撮影する後方視野とを簡略的に示した車両の平面図。
【図２】図１の車両用表示装置に使用するルームミラーの配置を示した図。
【図３】図１の車両用表示装置による画面表示部への映像表示手順を簡略的に示した図。
【図４】図１の車両用表示装置に使用するルームミラーの内部構造を簡略的に示した断面図。
【図５】図１の車両用表示装置に使用される画面表示部の背面図。
【図６】図１の車両用表示装置において、後方表示部にユーザー操作がなされたときの状態を、図４の断面を用いて示した図。
【図７】図３の表示状態において図６のユーザー操作がなされたときに生じる、画面表示部の映像表示に係る変化を示した図。
【図８】図１の車両用表示装置の画像処理装置が実行する制御の流れを示したフローチャート。
【図９】図１の車両用表示装置の第一変形例を、図４の断面を用いて示した断面図。
【図１０】図１の車両用表示装置の第二変形例を、図４の断面を用いて示した断面図。
【発明を実施するための形態】
【００１０】
以下、本発明の実施形態について図面を用いて説明する。
【００１１】
本実施例の車両用表示装置１は、図１に示すように、画面表示部４を有したルームミラー２（図２参照）と、カメラ４０と、画像処理部１０と、を有して構成される。
【００１２】
カメラ４０は、車両１００の後方及び後側方（即ち、車両の後方視野２００）を撮影するように車両に搭載される。カメラ４０は、車室内からリアウィンドウ１０２越しに撮影するよう配置され、例えばリアウィンドウ１０２の中央上側あるいは中央下側付近等に配置することができる。また、カメラ４０は、車両１００の後方を広い範囲にわたって撮像できるよう広角レンズを備えており、例えば後方視野２００（撮影範囲）として水平方向に例えば約１２０度や約１８０度のといった画角（視野角）を持つような広角カメラ（広角撮影部）である。このため、撮影された画像には、周辺部分が湾曲する等の歪みが生じる。具体的に言えば、撮影された画像は、その中心から離れるほど被写体の縮小度合いが大きくなる。なお、カメラ４０の画角は、上記の１２０度や１８０度に限られず、それらよりも大きな画角、あるいは小さな画角であってもよい。
【００１３】
画像処理部１０は、ＣＰＵ、ＲＯＭ、ＲＡＭ等を有した周知の制御装置を構成している。画像処理部１０は、カメラ４０から撮影映像９０Ａ（後方映像）を取得するとともに（映像取得手段）、図３に示すように、その撮影映像９０Ａ上に表示領域９０Ｂ（所定領域）を設定し（領域設定手段）、設定された表示領域９０Ｂ内の映像９０Ｃ（表示映像）を画面表示部４に表示する（表示手段）という機能を果たす。具体的にいえば、ここでの画像処理部１０は、カメラ４０から出力されるアナログ画像あるいはデジタル画像を取得する（映像取得手段）。なお、取得した画像がアナログ画像であるならばデジタル画像に変換する。そして、画像処理部１０は、取得したデジタル画像データ９０Ａに対し表示領域９０Ｂを設定して（領域設定手段）、設定された表示領域９０Ｂ内の映像９０Ｃを画面表示部４に表示する（表示手段）。
【００１４】
なお、画像処理部１０は、広角撮影に伴い生じる撮影映像の歪を補正する歪補正処理、歪が大きくなる予め定められた領域を撮影映像から除外する領域除外処理、ミラー画像とするための画像反転処理、必要情報の付与（重畳表示）のための画像合成処理等を必要に応じて行い、それらの処理を受けた映像９０Ｃを画面表示部４に表示する。なお、表示領域９０Ｂが設定される撮影映像９０Ａは、カメラ４０が撮影した直後の映像に限らず、これらの画像処理のいずれか又は複数を実行した後の映像であってもよい。
【００１５】
ルームミラー２は、車両１００の後方及び後側方（即ち、車両１００の後方視野２００）を運転者が視認できるよう配置される車両装備である。ここでのルームミラー２は、図２に示すように、車室内においてフロントガラス１０１の中央上部に固定されており、車両１００の後方及び後側方を表示する後方表示部５が、フロントガラス１０１の中央上部に対し車両進行方向の後方側に位置している。なお、ルームミラー２は、車両天井部の前方側（フロントガラス１０１側）等に固定される場合もある。図４に示すように、後方表示部５は、ミラー部３と、画面表示部４と、ケース２０と、を備える。運転者は、ミラー部３と画面表示部４とのいずれかにより車両１００の後方及び後側方を視認できる。ミラー部３と画面表示部４とはルームミラー２に組み込まれた表示部であり、画面表示部４は、ルームミラー（後写鏡）の位置に配置されたディスプレイである。
【００１６】
画面表示部４は、ミラー部３の裏面３ｂ側に配置され、ミラー部３の表面３ａ側から視認可能なよう、光源（バックライト）により発せられた光により画像（表示画像）を表面４ａ（以下、表示面４ａともいう）に表示するディスプレイ（例えば周知のカラー液晶ディスプレイ）として構成される。
【００１７】
ミラー部３は、車両１００の後方視野２００を光の反射による反射像として鏡面上に映し出す。運転者は、このミラー部３の反射像を表面３ａ側から視認することにより、車両後方及び車両後側方の領域を確認できる。ただし、ミラー部３は、ハーフミラーとして構成されており、画面表示部４が表示されているときには、その映像光が透過し、運転者には画面表示部４の表示面４ａの映像が視認される。一方で、画面表示部４が非表示の時（少なくとも光源がＯＦＦのとき）には、運転者にはミラー部３の反射像が視認される。
【００１８】
ミラー部３及び画面表示部４は、図４に示すように、ミラー部３の裏面３ｂと画面表示部４の表示面４ａとが対面する形で接着等により組み付けられている。画面表示部４の表示面４ａの形状（大きさ）は、横長の四角形状（ここでは長方形状）に形成されており、ミラー部３の表面３ａと同一又は略同一に形成されている。なお、ミラー部３の表面３ａ及び画面表示部４の表示面４ａは、楕円形状等の他の形状を採用してもよい。
【００１９】
ケース２０は、ミラー部３の表面３ａを前方に露出させる形で、ミラー部３及び画面表示部４を収容するケース枠である。ここでのケース２０は、ミラー部３及び画面表示部４の外周側を被う外周被覆部２２と、画面表示部４の裏面４ｂ側を被う裏側被覆部２１と、を一体に有しており、外周被覆部２２の前面に開口２０Ｈを形成して、ミラー部３の表面３ａを露出させている。運転者は、開口２０Ｈを通してミラー部３の表面３ａを視認できるだけでなく、ミラー部３（ハーフミラー）を介して画面表示部４の表示面４ａを透視することもできる。即ち、運転者は、ミラー部３を見るようにして、その奥にある画面表示部４の表示面４ａを視認することができる。
【００２０】
また、ルームミラー２は、図４に示すように、ハウジングケース６と、傾倒支持手段７と、入力部８と、復帰手段９と、を備える。
【００２１】
ハウジングケース６は、画面表示部４を含む後方表示部５を裏面４ｂ側から被うものであり、後方表示部５（画面表示部４）の傾斜（図６参照）が許容されるよう後方表示部５（画面表示部４）に対し組み付けられる。ここでのハウジングケース６は、ミラー部３及び画面表示部４がそれらの表面３ａ、４ａ側から運転者に視認可能とする形で後方表示部５を収容しており、傾倒支持手段７によって後方表示部５（画面表示部４）に対し組み付けられている。また、ハウジングケース６は、後方表示部５の裏側（画面表示部４の裏面４ｂ側）に対向配置される裏側対向部６１と、後方表示部５の外周側を被うようにして後方表示部５の裏面４ｂ側に向かって延出し、かつ裏側対向部６１を内包するよう当該裏側対向部６１の背後に回り込んで被うケース本体部６２と、を一体に備える。
【００２２】
裏側対向部６１は、後方表示部５（画面表示部４）の裏面４ｂ側に対向配置される板状部であり、画面表示部４の表示面４ａの中心部４ｃの裏側と対向する領域に、開口６１Ｈが形成されている。他方、ケース本体部６２は、前面に開口６２Ｈを有し、当該開口６２Ｈから後方表示部５の表面３ａを露出させている。また、ケース本体部６２の後端側には、車体側（ここではフロントガラス１０１）に固定するための固定部６２Ｂが設けられている。
【００２３】
画面表示部４から延び出す配線３０は、開口６１Ｈを通ってハウジングケース６の後方側に延出し、ハウジングケース６の外部へと配策される。配線３０は、画面表示部４を他の車載装置（例えばカメラ４０や画像処理部１０、その他の車両用制御部（ＥＣＵ）、車載電源等）に接続する。
【００２４】
傾倒支持手段７は、図６に示すように、後方表示部５の外周側をその表面３ａの側から押し込むユーザー操作がなされた際に、押し込まれた後方表示部５の外周側が沈む形で後方表示部５全体が傾斜するように、後方表示部５をハウジングケース６に組み付ける組付け部である。
【００２５】
なお、上記のユーザー操作は、具体的にいえば、ミラー部３の表面３ａに接触して表面３ａを押し込む操作であるが、このユーザー操作は、画面表示部４をその表示面４ａの側から押し込む操作ともいえる。また、当該ユーザー操作がなされた際に後方表示部５全体が傾斜するとは、ミラー部３及び画面表示部４のそれぞれが全体的に傾斜することを意味している。
【００２６】
傾倒支持手段７は、ハウジングケース６及び後方表示部５（画面表示部４）のいずれか一方に設けられる支柱部７１と、他方に設けられる支柱支持部７２と、を有する。ここでの支柱部７１は、後方表示部５に設けられており、表面３ａの裏側（画面表示部４の裏側）に位置する裏側被覆部２１からハウジングケース６側（具体的にいえば後端中央部６２Ａ）に向けて直線状に延びる。他方、支柱支持部７２は、ハウジングケース６に設けられており、支柱部７１がその外周側へと傾倒可能となるように支持された形で組み付けられる。
【００２７】
また、ここでの支柱部７１は、裏側被覆部２１から開口６１Ｈを通過する形で後方に延出するとともに、支柱支持部７２によって支持される側の端部に球状先端部７１０を有する。他方、支柱支持部７２は、ハウジングケース６の後端中央部６２Ａから前方に向けて突出する筒状形状をなしており、その先端部に、支柱部７１の球状先端部７１０に対し組み付けられる摺動保持部７２０を有する。摺動保持部７２０は、球状先端部７１０に対し外側から被う形で組み付いてその抜けを阻止するとともにその球状先端部７１０を内側で摺動回転可能に保持する。具体的にいえば、支柱部７１の球状先端部７１０は、支柱部７１の先端で外向きに膨出する形で形成され、他方、摺動保持部７２０は、球状先端部７１０を摺動回転可能に収容するよう球面状の凹面７２０ａと、収容された球状先端部７１０の付け根側で当該球状先端部７１０にオーバーラップして位置する抜け止め部７２０ｂと、を有している。このように、後方表示部５は、支柱部７１と支柱支持部７２とが上記のように組み付けられることによって、ハウジングケース６に対し傾倒可能に組み付いている。
【００２８】
復帰手段９は、上述のユーザー操作による後方表示部５（画面表示部４）の全体の傾斜を許容し、かつ上述のユーザー操作が解除された際には傾斜した後方表示部５全体を元の非傾斜状態（非操作状態）に復帰させる手段である。ここでの復帰手段９は、図４に示すように、後方表示部５（ケース２０）とハウジングケース６との間に配置された弾性部材であり、ここでは支柱部７１の外周を取り囲むばね部材９Ａ（コイルばね）とされている。具体的にいえば、ばね部材９Ａは、支柱部７１の外周を取り囲む形で裏側被覆部２１と支柱支持部７２との間に挟まれる形で配置されており、後方の支柱支持部７２に支持される形で裏側被覆部２１を前方に押し付け、後方表示部５を前方に押し出すよう付勢している。ハウジングケース６には、前方に付勢された後方表示部５が開口６２Ｈから脱落しないように係止する係止部２３が設けられている。上述のユーザー操作によって後方表示部５が押し付けられて傾斜した状態から、そのユーザー操作（押し付け）が解除されると、傾斜によって沈んだ外周側がばね部材９Ａによって押し上げられる。これにより後方表示部５は、再び係止部２３に押し付けられた係止状態（非傾斜状態、非操作状態）に復帰する。
【００２９】
入力部８は、後方表示部５が傾斜することにより入力を受け付ける入力スイッチである。ここでの入力部８は、図４に示すように、後方表示部５の表面３ａの裏側（表示面４ａの裏側ともいえる）に配置された押込み型入力部であり、ここでは画面表示部４の背後に位置する回路基板４Ｄ上に実装されている。図６に示すように、入力部８は、上記のユーザー操作によって後方表示部５の外周側が押し込まれた際に、その押し込みによって傾斜する後方表示部５の、沈んだ側に位置する入力部８の操作ノブ８Ｐが、ハウジングケース６の裏側対向部６１に押し込まれる形で入力を受け付ける。ここでの入力部８は、図５に示すように、画面表示部４（後方表示部５）の裏側において、上下左右の４か所にそれぞれ設けられており、裏側被覆部２１の開口２１Ｈから後方に露出し、裏側対向部６１と対向している。
【００３０】
画像処理部１０は、入力部８が当該入力を受け付けた場合、図７に示すように、画面表示部４の表示面４ａに表示される表示映像９０Ｃの表示範囲が、当該ユーザー操作によって押し込まれた側へと移動するように、カメラ４０が撮影した撮影映像９０Ａ上に設定される表示領域９０Ｂの位置を変更する。なお、表示領域９０Ｂは、画面表示部４の表示面４ａの形状に対応する予め定められた形状を有し、上記のユーザー操作によって撮影映像９０Ａ上における位置の変更は生じるが、形状の変更は生じない。
【００３１】
このように本実施例の車両用表示装置１では、ルームミラー２の画面表示部４に表示される車両１００の後方視野２００の映像９０Ｃに対して、ユーザーは、後方表示部５の外周側を押し込んで後方表示部５を傾斜させるユーザー操作をすることによって、表示される後方視野２００の表示範囲を、押し込んだ側へと移動させることができる。つまり、ユーザーが押し込んだ側に表示範囲が移動するため、ユーザーは、自身の操作と表示範囲の移動との関係を直感的に把握することができ、操作しやすい。
【００３２】
ここで画像処理部１０が実行する画面表示部４に表示される映像２０Ｃの表示範囲を変更する処理について、図８を用いて説明する。
【００３３】
車両１００において所定電源がＯＮ（イグニッション電源あるいはアクセサリー電源のＯＮ）とされた場合、カメラ４０が車両１００の後方視野２００の広角撮影を開始するとともに、画像処理部１０は、図８の処理を開始する。
【００３４】
画像処理部１０は、まずはカメラ４０の撮影映像９０Ａを取得して、その撮影映像９０Ａ（後方映像）上に、画面表示部４の表示面４ａと同形状の表示領域９０Ｂを設定する（Ｓ１：領域設定手段）。ここで設定される表示領域９０Ｂは、画像処理部１０の所定記憶部に記憶されている基準領域である。そして画像処理部１０は、撮影映像９０Ａ上に設定された表示領域９０Ｂ内の映像９０Ｃ（表示映像）を、画面表示部４の表示面４ａに表示した表示状態とする（Ｓ２：表示手段）。
【００３５】
その上で画像処理部１０は、各入力部８の入力を受け付ける。上述のようなユーザー操作によって後方表示部５が傾斜し、上下左右に位置する入力部８のいずれかが入力を受け付けた場合（Ｓ３：Ｙｅｓ）、画像処理部１０は、カメラ４０の撮影映像９０Ａ上において、設定されている表示領域９０Ｂを、入力を受け付けた入力部８に対応する側へと移動する形で再設定し（Ｓ４：領域変更手段）、再設定された表示領域９０Ｂ内の映像９０Ｃを、画面表示部４の表示面４ａに表示する（Ｓ２：表示手段）。ここでは、後方表示部５を押し込む１回のユーザー操作に対し、後方映像９０Ａ上に設定される表示領域９０Ｂが所定量だけ移動して再設定される。
【００３６】
例えば、図６に示すように、上述のユーザー操作によって後方表示部５の下側が押し込まれて後方表示部５の下側が沈み（即ち、図６の後方表示部５の下側が右側へ移動）、下側に位置する入力部８が入力を受け付けた場合、画像処理部１０は、撮影映像９０Ａ上において現在設定されている表示領域９０Ｂを、下側に所定量移動させた位置に変更する。これにより、画面表示部４の表示面４ａに表示される映像９０Ｃは、それ以前の映像よりも下側にずれた後方視野を表示するようになる。また、それを見た上でさらに表示領域９０Ｂを移動させたい場合には、画面表示部４の外周側のうち移動させたい側を押し込むユーザー操作を行うことで、表示領域９０Ｂのさらなる移動が可能である。このように、上述のユーザー操作を繰り返すことで、車両１００の後方視野２００における自分の望む表示範囲を画面表示部４の表示面４ａに表示させることができる。さらに、上述のユーザー操作をするとすぐに、画面表示部４の表示内容が変更されるから、変更を確認しながら自分の望む表示範囲を探し当てることができる。
【００３７】
なお、ここでの画面表示部４に表示される表示映像９０Ｃは、カメラ４０の撮影映像を左右反転した映像に基づいて表示されている。したがって、上述のユーザー操作による表示領域９０Ｂの移動・変更についても、その左右反転が考慮される。具体的にいえば、表示領域９０Ｂが設定される撮影映像９０Ａが、カメラ４０の撮影映像に対し左右反転処理を施した反転済み映像である場合は、上述のユーザー操作によって後方表示部５の右側が押し込まれたときに、その映像９０Ａ上で表示領域９０Ｂを右側に移動する。逆に、表示領域９０Ｂが設定される撮影映像９０Ａが、カメラ４０の撮影映像を左右反転していない未反転映像である場合は、上述のユーザー操作によって後方表示部５の右側が押し込まれたときに、その映像９０Ａ上で、表示領域９０Ｂを、右側ではなく左側に移動し、その後に左右反転処理が実施される。
【００３８】
画像処理部１０は、各入力部８の入力がなければ（Ｓ３：Ｎｏ）、撮影映像９０Ａ上に設定されている表示領域９０Ｂを固定した形で、表示領域９０Ｂ内の映像９０Ｃを表示し続ける（Ｓ５：Ｎｏ→Ｓ２）。
【００３９】
ただし、画像処理部１０は、予め定められた表示終了指示を受け付けた場合（Ｓ５：Ｙｅｓ）、画面表示部４の表示面４ａの表示を終了する。なお、画面表示部４の表示が終了しても、運転者は、ルームミラー２のミラー部３に映し出される反射像を視認する形で、車両１００の後方視野２００を確認することができる。
【００４０】
上記の表示終了指示は、車両１００における所定電源のＯＦＦや、画面表示部４のバックライトのＯＦＦ、表示面４ａの表示を終了してミラー部３による後方視野表示に変更するためにルームミラー２に設けられた切替操作部（図示なし）への操作入力を受け付けた場合等に、画像処理部１０に与えられる。上記の表示終了指示の入力を受け付けた画像処理部１０は、最後に設定されていた表示領域９０Ｂを基準領域として所定記憶部に記憶した上で（Ｓ６：領域記憶手段）、本処理を終了する。これにより、次回の画面表示部４が映像９０Ｃの表示を行うときに、この時に記憶した表示領域９０Ｂが基準領域として読み出され、設定される（Ｓ１）。
【００４１】
以上、本発明の一実施形態を説明したが、これはあくまでも例示にすぎず、本発明はこれに限定されるものではない。例えば上記実施形態において一部の構成要件を省略する、さらには他の構成要件を追加する等、当業者の知識に基づく種々の変更が可能である。
【００４２】
上記実施例におけるミラー部３は、排除されてもよい。この場合、後方表示部５は、表示部として画面表示部４のみを備える構成とすることができるが、ミラー部３に代わるものを備える構成にしてもよい。また、ミラー部３を完全排除するのではなく、ミラー部３と画面表示部４との位置関係を、上記実施例とは異なるようにした構成としてもよい。
【００４３】
上記実施例における復帰手段９は、図９に示すように、後方表示部５（画面表示部４）の裏側とハウジングケース６の裏側対向部６１との間に配置されるとともに、各入力部８に近接して位置するばね部材９Ｂ（例えば板バネ）とすることができる。この場合、上述のユーザー操作によって後方表示部５が押し付けられて傾斜した後に、その押し付けが解除されると、当該傾斜によって沈んでいた後方表示部５の外周側がばね部材９Ｂの付勢力によって押し上げられる（押し戻される）から、これにより後方表示部５は、再び係止部２３に押し付けられた係止状態（非傾斜状態、非操作状態）に復帰する。
【００４４】
上記実施例における復帰手段９は、図１０に示すように、後方表示部５（画面表示部４）の裏側に配置される弾性部材９Ｃとすることができる。ここでは、後方表示部５の裏側（裏側被覆部２１）と、開口６１Ｈが非形成とされたハウジングケース６の裏側対向部６１との双方に密着する形で板状の弾性部材９Ｃが配置されている。この場合、上述のユーザー操作によって後方表示部５の外周側が押し付けられて傾斜した場合、その傾斜によって後方表示部５が沈む側において、弾性部材９Ｃが厚み方向に圧縮する弾性変形が生じることにより、入力部８がハウジングケース６の裏側対向部６１によって押し込まれ、入力を受け付ける。そして、その押し付けが解除されると、厚み方向に圧縮された弾性部材９Ｃが弾性復帰することにより、後方表示部５の沈んでいた側が押し上げられ（押し戻され）、これにより後方表示部５は、再び係止部２３に押し付けられた係止状態（非傾斜状態、非操作状態）に復帰する。この実施例の場合、弾性部材９Ｃは、後方表示部５の裏側（裏側被覆部２１）と、開口６１Ｈが非形成とされたハウジングケース６の裏側対向部６１との双方に接着固定されており、復帰手段９だけでなく傾倒支持手段７としても機能しており、後方表示部５とハウジングケース６とを固定（ここでは接着固定）している。
【００４５】
上記実施例における入力部８は、画面表示部４（後方表示部５）の裏側において、上下左右合わせて４つ設けられているが、４つ以上設けてもよい。例えば、画面表示部４（後方表示部５）の裏側において、左上、上中央、右上、左中央、右中央、左下、下中央、右下の合計８つの入力部８が設けられてもよく、この場合、画像処理部１０は、後方表示部５（画面表示部４）に対し表面３ａ（４ａ）の側からその外周側を押し込むユーザー操作があった場合に、押し込まれて沈んだ側の入力部８に対応する側に、カメラ４０の撮影映像９０Ａ上に設定される表示領域９０Ｂを移動させて、画面表示部４の表示面４ａに表示される映像９０Ｃの表示範囲を、押し込まれて沈んだ側に移動させるようにしてもよい。例えば、後方表示部５に対し表面３ａの左上が押し込まれた場合には、画面表示部４の表示面４ａに表示される映像９０Ｃを、より車両左上側の映像にできるようにしてもよい。
【符号の説明】
【００４６】
１  車両用表示装置
２  ルームミラー
３  ミラー部
４  画面表示部
５  後方表示部
６  ハウジングケース
７  傾倒支持手段
８  入力部
９  復帰手段
１０  画像処理部
２０  ケース
３０  配線
４０  カメラ
６１  裏側対向部
７１  支柱部
７２  支柱支持部
１００  車両
２００  後方視野
９０Ａ  撮影映像（後方映像）
９０Ｂ  表示領域
９０Ｃ  映像（表示映像）
【図１】
2018207274.tif 000003
【図２】
2018207274.tif 000004
【図３】
2018207274.tif 000005
【図４】
2018207274.tif 000006
【図５】
2018207274.tif 000007
【図６】
2018207274.tif 000008
【図７】
2018207274.tif 000009
【図８】
2018207274.tif 000010
【図９】
2018207274.tif 000011
【図１０】
2018207274.tif 000012